【手続補正書】
【提出日】平成19年4月17日(2007.4.17)
【手続補正１】
【補正対象書類名】明細書
【補正対象項目名】特許請求の範囲
【補正方法】変更
【補正の内容】
【特許請求の範囲】
【請求項１】  ディスク軸の周りに配置された磁気ディスク上の円形トラックの中心線（ＴＣＬ）に沿って拡張している、前記ディスク軸の周りに配置された前記磁気ディスク上のデータトラックに対する所望のオフセットを持った位置への磁気ヘッドの位置付のための、熱ドリフトを補正する閉ループ位置付けシステムを有するヘッド／ディスクテスターであって：
Ａ．基盤；
Ｂ．前記基盤に取り付けられ、磁気ディスクを前記ディスク軸の周りに回転できるように支えるために適応しているスピンドル；
Ｃ．前記基盤に支えられ、読み取り素子及び書き込み素子を持った磁気ヘッドを前記磁気ディスクに重なる領域に支えるための組立品を持った移動可能な往復台；
Ｄ．前記往復台を前記磁気ヘッドと共に前記磁気ディスクに対し、ディスク軸を横切る方向に移動させるための位置付け手段；
Ｅ．安定した温度状態で前記磁気ディスクの前記データトラックに対する前記磁気ヘッドの位置を決めるための第１のフィードバック手段；
Ｆ．変化する温度状態で前記磁気ディスクの前記データトラックに対する前記磁気ヘッドの位置を決めるための第２のフィードバック手段であって、前記磁気ディスク上の予め決められた前記トラックの中心線から放射方向へのオフセットを持った位置にあるサーボバースト信号に応答する前記第２フィードバック手段；及び、
Ｇ．前記位置付け手段を制御し、それにより前記磁気ヘッドを実質的に前記トラック中心線から所望のオフセットを持った位置に位置させるために、前記第１フィードバック手段及び第２フィードバック手段に応答する閉ループ位置決め装置を備える閉ループ位置付けシステムを有するヘッド／ディスクテスター。
【請求項２】  前記位置付け手段が：
前記磁気トラック中心線に対する基準上の位置への前記磁気ヘッドの開ループ位置付けを成し遂げるための複数のモーター；及び、
少なくとも１つの、前記ヘッドの閉ループ位置付けを成し遂げるためのピエゾアクチュエーターを含む、請求項１に記載のヘッド／ディスクテスター。
【請求項３】  前記第１フィードバック手段が前記基盤に対する前記往復台の移動方向に沿った前記往復台の位置を検出するための、少なくとも１つの直線エンコーダーを含む、請求項１に記載のヘッド／ディスクテスター。
【請求項４】  前記第２フィードバック手段が前記磁気ディスクに予め書き込まれた前記サーボバースト信号の振幅を検出するための検出器を含む、請求項１に記載のヘッド／ディスクテスター。
【請求項５】  前記第２フィードバック手段がさらに、前記検出されたサーボバースト信号の振幅をサンプリングし、前記予め書き込まれたバースト信号の平均値を決める平均器を含む、請求項４に記載のヘッド／ディスクテスター。
【請求項６】  前記磁気ディスクのトラックに沿った複数の位置に前記サーボバースト信号を予め書き込むため、及び前記予め書き込まれたバースト信号の振幅を検出するための手段をさらに備える、請求項４に記載のヘッド／ディスクテスター。
【請求項７】  前記磁気ディスクのトラックの中心線から複数のオフセットを持った位置に前記サーボバースト信号を予め書き込むため、及び前記予め書き込まれたバースト信号の振幅を検出するための手段をさらに備える、請求項４に記載のヘッド／ディスクテスター。
【請求項８】  前記閉ループ位置付け装置が比例積分微分（ＰＩＤ）制御ループ、前記サーボバースト信号の平均化された振幅の比を決める除算器、指示されたヘッドの位置に対応する前記比を格納するメモリー、及び前記比の変化に応じて前記ＰＩＤ制御ループの命令位置を変更する付加的なサーボループを含む、請求項１に記載のヘッド／ディスクテスター。
【請求項９】  前記付加的なサーボループが前記磁気ヘッドの指示された位置への移動中に無効であり、前記移動が終了した後に有効である、請求項８に記載のヘッド／ディスクテスター。
【請求項１０】  磁気ヘッドのテストの開始前に少なくとも２つのサーボバースト信号が磁気ヘッドにより磁気ディスク上の前記磁気ディスクのデータトラックの中心線からオフセットを持った複数の位置に予め書き込まれる、磁気ヘッド／ディスクテスターの位置付けの方法であって：
Ａ．前記磁気ディスクに対する前記磁気ヘッドの前記磁気ディスクの全体の幅の実質的な部分を含む広い領域内にある位置を反映する第１のフィードバック源を使用する閉ループ位置付け装置により、前記磁気ディスク上で前記磁気ヘッドを１つの位置からもう１つの位置へ移動させること；及び、
Ｂ．前記磁気ディスク上の前記中心線から横方向のオフセットを持った位置に記憶された予め書き込まれたサーボバースト信号の組である第２フィードバック源であって、前記磁気ディスクの前記データトラック近辺の比較的狭い領域で前記磁気ディスクに対する前記磁気ヘッドの局所的な位置を反映する第２のフィードバック源に応答する付加的な閉ループを使用して前記磁気ディスク上の指示された位置で前記磁気ヘッドの位置を調整することのステップを含む磁気ヘッド／ディスクテスターの位置付けの方法。
【請求項１１】  前記磁気ディスクに対する前記磁気ヘッドの位置を決めるためにサーボバースト信号の比が使用される、請求項１０に記載の方法。
【請求項１２】  前記サーボバースト信号が前記磁気ディスクのトラックに沿った複数の位置に予め書き込まれる、請求項１１に記載の方法。
【請求項１３】  複数のサーボバースト信号が前記磁気ディスクのトラックの中心線から異なったオフセット持った位置に予め書き込まれ、それにより前記第２フィードバック源の比較的広い動作範囲をもたらす、請求項１１に記載の方法。
【請求項１４】  前記第２のフィードバック源と共に使われるバーストを選択するための手段であって：
i．最大の振幅を持った３つのバースト信号Ｂ1≦Ｂ2≦Ｂ3を選択すること；
ii．比Ｂ1／Ｂ2及びＢ2／Ｂ3を計算すること；及び、
iii．最も１に近い比に対応する２つのバーストを選択することの副手段を使用する手段をさらに含む、請求項１３に記載の方法。
【請求項１５】  狭帯域のバンドパスフィルタリング及び（／または）平均化が前記第２のフィードバック源に対し比較的高いノイズ耐性をもたらす、請求項１１に記載の方法。
【請求項１６】  前記バーストの比がメモリーに格納され、その後にメモリーから読み出され、予め決められた以前の位置への前記磁気ヘッドの移動を制御するために使用される、請求項１１に記載の方法。
【請求項１７】  幅Ｔを持ち、ディスク軸の周りに配置された円形トラックの中心線に沿って拡張する磁気ディスク上のデータトラックに対し、磁気リード／ライトヘッドを位置付けするための信号を生成及び格納するためのシステムであって：
Ａ．基盤；
Ｂ．前記ディスクの周りに前記磁気ディスクを回転できるように支えるための前記基盤に取り付けられたディスク支持組立品；
Ｃ．前記基盤に取り付けられ、書き込み幅Ｔを持った磁気リード／ライトヘッドを含み、さらに前記ヘッドを前記トラック中心線に対する基準上の位置に選択的に位置付けするための付随する位置付け組立品を含むヘッド支持組立品；
Ｄ．前記トラック中心線に対して関連する所望のオフセットを持った位置によって特徴付けられる１つまたは複数の位置へ前記リード／ライトヘッドを連続的に位置付けるための制御器であって：
i．前記ディスクが回転するときに比較的短い期間に時間的に連続した、各々が前記トラック中心線から予め決められた距離の横方向のオフセット持つ２つまたはそれ以上のサーボバーストを書き込むための手段；及び、
ii．前記オフセットを持った位置の各々で前記サーボバーストを読み取り、前記オフセットを持った位置の各々に関連する、読み込まれた各バーストを表す信号を生成し、格納する手段を含む前記制御器を備えるシステム。
【請求項１８】  適用された所望のオフセットに関連した前記格納された信号を取得するために適用された所望のオフセット信号に応答し、そして閉ループ法で前記取得した信号に従って前記磁気リード／ライトヘッドを位置付けるために前記取得した信号を前記制御器に適用する手段をさらに備える、請求項１７に記載のシステム。
【請求項１９】  書き込み幅Ｔを持ったリード／ライトヘッドを幅Ｔを持ちディスク軸の周りに配置された円形トラックの中心線に沿って拡張する磁気ディスク上のデータトラックに対して位置付けるための方法であって、
Ａ．前記ディスクが回転するときに、比較的短い期間に時間的に連続した、各々が前記トラック中心線から予め決められた距離の横方向のオフセットを持った位置に書き込まれる２つまたはそれ以上のサーボバーストを前記ディスク上に書き込むこと；
Ｂ．前記リード／ライトヘッドを前記トラック中心線に対し複数の所望のオフセットを持った位置に位置付け、そして前記各々のオフセットを持った位置で連続的に前記サーボバーストを読み取り、前記所望の各オフセットを持った位置での前記バーストを表す振幅の値を決めること；
Ｃ．前記振幅値を前記所望のオフセットのそれぞれに関連付けて格納すること；及び、
Ｄ．閉ループ法にて前記磁気リード／ライトヘッドを前記所望のオフセットを持った場所の選択された１つに再位置付けするために前記格納された値の対応するものを使用することのステップを含む方法。